(57)【特許請求の範囲】
【請求項１】
段鼻部材が階段の踏板の前端部に固定されている階段構造において、
上記踏板の上面前端部を被覆する略板状の上面部と、
上記上面部に取り外し可能に組み付けられ、上記踏板の前端面を被覆する略板状の前面部とを備え、
上記上面部は、当該上面部の前端部で上下方向に対向する対向部と、両対向部に互いに接近する方向に突設された上面部側係合部とを有し、
上記前面部には、突部が後側に突設され、該突部には、上下方向に張り出す前面部側係合部が形成され、
上記上面部の上面部側係合部間に上記前面部の突部が嵌め込まれて、上記前面部の前面部側係合部が上記上面部の上面部側係合部に係合していることを特徴とする階段構造。
【請求項２】
請求項１に記載の階段構造において、
上記踏板は、踏板基材と、該踏板基材上面の前端部を除く領域に一体的に貼着された表面材とを有し、
上記上面部は、上記踏板基材上面の前端部に固定されていることを特徴とする階段構造。
【請求項３】
請求項２に記載の階段構造であって、
上記前面部は、上記踏板基材を上下方向全体に亘って被覆していることを特徴とする階段構造。
【請求項４】
請求項２又は３に記載の階段構造であって、
上記上面部は、上記踏板基材上面の前端部に固定されるベース部と、該ベース部に取り外し可能に組み付けられるカバー部とを備えていることを特徴とする階段構造。
【請求項５】
請求項４に記載の階段構造であって、
上記ベース部は、板状のベース部本体を備え、該ベース部本体の上面には、リブ板状の前側及び後側の突起部が階段幅方向全体に亘って突設され、上記前側の突起部は、ベース本体上面の前端部よりも後側の部分に設けられ、上記前側及び後側の突起部には、係合片部が互いに接近する方向に突設され、上記前側の突起部には、対向壁部が上記前側の突起部よりも前側のベース部本体に対向するように前側に突設され、上記対向壁部と上記前側の突起部よりも前側のベース部本体とが、上記対向部を構成し、
上記カバー部は、板状のカバー部本体を備え、該カバー部本体の下面には、リブ板状の前側及び後側の突板部が階段幅方向全体に亘って形成され、当該突板部には、係合爪が互いに離間する方向に張出形成され、
上記カバー部の前側及び後側の突板部は、上記ベース部の前側及び後側の突起部間に嵌め込まれて上記カバー部の係合爪が上記ベース部の係合片部に係合していることを特徴とする階段構造。
【請求項６】
請求項２〜５のいずれか１項に記載の階段構造であって、
上記階段は廻り階段部を有し、
上記廻り階段部の踏板の前端部に取り付けられる段鼻部材の上面部の階段幅方向両側には、傾斜端縁が形成されていることを特徴とする階段構造。
【請求項７】
請求項２〜６のいずれか１項に記載の階段構造を有する階段のリフォーム方法において、
上記踏板の表面材を踏板基材から剥がし、上記段鼻部材の上面部を踏板基材から取り外し、かつ上記段鼻部材の前面部を上面部から取り外した後、表面材を踏板基材上面の前端部を除く領域に貼着し、上面部を踏板基材上面の前端部に固定し、かつ上面部に前面部を組み付けることを特徴とする階段のリフォーム方法。
【発明の詳細な説明】
【技術分野】
【０００１】
本発明は、階段構造、及び階段のリフォーム方法に関する。
【背景技術】
【０００２】
従来より、昇降時の滑り止めを防止する等の目的で、階段の踏板の前端部に段鼻部材を取り付けることが知られている。
【０００３】
特許文献１には、階段の踏板の上面前端部に固定されるベース部と、上記ベース部に嵌着された状態で当該ベース部の上面と踏板の前端面とを被覆する断面略Ｌ字状のカバー部とを備えた段鼻部材が開示されている。
【先行技術文献】
【特許文献】
【０００４】
【特許文献１】特開２００５−２０７０６３号公報
【発明の概要】
【発明が解決しようとする課題】
【０００５】
しかし、上記特許文献１では、カバー部が断面Ｌ字状に屈曲しているため、丸鋸等の電動工具で踏板の形状に合わせて切断する際、当て木を使用しないと屈曲箇所に割れ・欠けが生じやすく、切断作業に手間がかかる。また、当て木を使用しても所望の寸法に切断し難く、カバー部の寸法誤差により段鼻部材と側桁や壁等との間に隙間が生じ、階段の見栄えが悪化しやすい。
【０００６】
これらの問題は、段鼻部材を廻り階段に使用する目的で、カバー部のベース部上面を覆う箇所を斜めに切断する場合に特に顕著になる。
【０００７】
本発明は、かかる点に鑑みてなされたものであり、その目的とするところは、容易な作業によって段鼻部材を踏板に見栄え良く取り付けることにある。
【課題を解決するための手段】
【０００８】
上記の目的を達成するため、本発明は、段鼻部材を上面部と、該上面部に取り外し可能に組み付けられる前面部とで構成したことを特徴とする。
【０００９】
具体的には、第１の発明は、段鼻部材が階段の踏板の前端部に固定されている階段構造において、上記踏板の上面前端部を被覆する略板状の上面部と、上記上面部に取り外し可能に組み付けられ、上記踏板の前端面を被覆する略板状の前面部とを備え、上記上面部は、当該上面部の前端部で上下方向に対向する対向部と、両対向部に互いに接近する方向に突設された上面部側係合部とを有し、上記前面部には、突部が後側に突設され、該突部には、上下方向に張り出す前面部側係合部が形成され、上記上面部の上面部側係合部間に上記前面部の突部が嵌め込まれて、上記前面部の前面部側係合部が上記上面部の上面部側係合部に係合していることを特徴とする。
【００１０】
第２の発明は、第１の発明の階段構造において、上記踏板は、踏板基材と、該踏板基材上面の前端部を除く領域に一体的に貼着された表面材とを有し、上記上面部は、上記踏板基材上面の前端部に固定されていることを特徴とする。
【００１１】
第３の発明は、第２の発明の階段構造であって、上記前面部は、上記踏板基材を上下方向全体に亘って被覆していることを特徴とする。
【００１２】
第４の発明は、第２又は第３の発明の階段構造であって、上記上面部は、上記踏板基材上面の前端部に固定されるベース部と、該ベース部に取り外し可能に組み付けられるカバー部とを備えていることを特徴とする。
【００１３】
第５の発明は、第４の発明の階段構造であって、上記ベース部は、板状のベース部本体を備え、該ベース部本体の上面には、リブ板状の前側及び後側の突起部が階段幅方向全体に亘って突設され、上記前側の突起部は、ベース本体上面の前端部よりも後側の部分に設けられ、上記前側及び後側の突起部には、係合片部が互いに接近する方向に突設され、上記前側の突起部には、対向壁部が上記前側の突起部よりも前側のベース部本体に対向するように前側に突設され、上記対向壁部と上記前側の突起部よりも前側のベース部本体とが、上記対向部を構成し、上記カバー部は、板状のカバー部本体を備え、該カバー部本体の下面には、リブ板状の前側及び後側の突板部が階段幅方向全体に亘って形成され、当該突板部には、係合爪が互いに離間する方向に張出形成され、上記カバー部の前側及び後側の突板部は、上記ベース部の前側及び後側の突起部間に嵌め込まれて上記カバー部の係合爪が上記ベース部の係合片部に係合していることを特徴とする。
【００１４】
第６の発明は、第２〜５のいずれか１つの発明の階段構造であって、上記階段は廻り階段部を有し、上記廻り階段部の踏板の前端部に取り付けられる段鼻部材の上面部の階段幅方向両側には、傾斜端縁が形成されていることを特徴とする。
【００１５】
第７の発明は、第２〜６のいずれか１つの発明の階段構造を有する階段のリフォーム方法において、上記踏板の表面材を踏板基材から剥がし、上記段鼻部材の上面部を踏板基材から取り外し、かつ上記段鼻部材の前面部を上面部から取り外した後、表面材を踏板基材上面の前端部を除く領域に貼着し、上面部を踏板基材上面の前端部に固定し、かつ上面部に前面部を組み付けることを特徴とする。
【発明の効果】
【００１６】
第１〜７の発明によれば、踏板の形状に合わせて略板状の上面部及び前面部を別々に切断できるので、断面Ｌ字状のカバー部材を切断する場合に比べ、当て木の使用が不要となる分切断作業が容易になる。また、切断する上面部及び前面部は平面的であるため、所望の寸法に切断しやすい。したがって、段鼻部材と側桁や壁等との間に段鼻部材の寸法誤差による隙間が生じにくく、段鼻部材周りの階段の見栄えを改善できる。
【００１７】
第２の発明によれば、段鼻部材が上面部と前面部との２つの部材を備え、前面部が上面部に対して取り外し可能であるので、表面材の厚さを変更するリフォームを行う場合でも、前面部は交換せず、上面部だけを新たな表面材の厚さに応じた厚さのものに交換することができる。したがって、段鼻部材全体を交換する場合に比べ、リフォームに必要となるコストを削減できる。
【００１８】
第３の発明によれば、段鼻部材が上面部と前面部との２つの部材を備え、前面部が上面部に対して取り外し可能であるので、踏板基材の厚さを変更するリフォームを行う場合でも、上面部は交換せず、前面部だけを新たな踏板基材の厚さに応じた上下幅のものに交換することができる。したがって、段鼻部材全体を交換する場合に比べ、リフォームに必要となるコストを削減できる。
【００１９】
第４の発明によれば、上面部がベース部とカバー部との２つの部材を備え、カバー部がベース部に対して取り外し可能であるので、ベース部は踏板基材に固定したままで、そのベース部から古いカバー部を外して新たなカバー部をベース部に取り付けるだけで、上面部の外観を美麗に仕上げることができる。また、表面材を交換する場合でも、ベース部は踏板基材に固定したままで、新たな表面材の色や柄に応じた新たなカバー部をベース部に取り付けることができる。したがって、上面部全体を交換する場合に比べ、リフォームに必要となる手間及びコストを削減できる。
【００２０】
第６の発明によれば、略板状に形成された上面部を斜めに切断することで傾斜端縁を形成できるので、断面Ｌ字状のカバー部材を切断する場合に比べて当て木の使用が不要となる分、切断作業が容易になり、所望の寸法に切断しやすい。したがって、段鼻部材と側桁や壁等との間に段鼻部材の寸法誤差による隙間が生じにくく、段鼻部材周りの階段の見栄えを改善できる。
【００２１】
第７の発明によれば、段鼻部材の前面部を上面部から一旦取り外して組み付けるので、必要に応じて前面部は交換せずに上面部だけを新しいものに交換したり、反対に上面部は交換せずに前面部だけを新しいものに交換することにより、段鼻部材全体を交換する場合よりもリフォームに必要となるコストを削減できる。
【図面の簡単な説明】
【００２２】
【図１】図１は、本発明の実施形態に係る階段の正面図である。
【図２】図２は、階段の側面図である。
【図３】図３は、階段の平面図である。
【図４】図４は、階段の直階段部を拡大して示す斜視図である。
【図５】図５は、直階段部の階段構造における側桁の拡大側面図である。
【図６】図６は、踏板基材に段鼻部材及び表面材が取り付けられた踏板を拡大して示す断面図である。
【図７】図７は、階段の廻り階段部の側桁を示す斜視図である。
【発明を実施するための形態】
【００２３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２４】
図１〜図３は本発明の実施形態に係る階段Ｓを示す。この階段Ｓは、建物の階下の床面Ｆ１から直線状に斜め上側に延びる例えば７段の下側直階段部Ｓ１と、この下側直階段部Ｓ１の上端に下端が接続され、下側直階段部Ｓ１に対し９０°に折れ曲がり状に斜め上側に延びる例えば３段の廻り階段部Ｓ２と、この廻り階段部Ｓ２の上端に下端が接続される一方、上端が階上の床面Ｆ２に接続され、直線状に斜め上側に延びる例えば４段の上側直階段部Ｓ３とを有する。
【００２５】
尚、以下の説明では、説明の便宜上、階段Ｓの上り方向（図３の一点鎖線矢印にて示す方向）に向かって手前側を「前」とも言い、奥側を「後」とも言う。
【００２６】
上記下側及び上側直階段部Ｓ１，Ｓ３は互いに同じ階段構造を有する側桁階段であり、下地壁面Ｗに左右に対向するように配置されて固定された左右の側桁１，１と、それら側桁１，１間に掛け渡された複数の踏板８，８，…と、上側の踏板８下面の前端部及び下側の踏板８上面の後側部の間に設けられた複数の蹴込板１３，１３，…とを有する。
【００２７】
上記蹴込板１３は、一般の階段に用いられる蹴込板と同じ材料のものが用いられ、例えば合板、パーティクルボード、ＭＤＦ、複合合板、集成材等である。
【００２８】
上記各踏板８は、図６に示すように、所定の強度を備えた踏板基材９と、この踏板基材９の上面に一体的に貼着された表面材１０とを有する。踏板基材９は、所定の厚さ（例えば３６ｍｍ）を有する板材からなり、その材料は特に限定されず、一般の階段に用いられる踏板と同じ材料のものが用いられ、例えば合板、パーティクルボード、複合合板、集成材、無垢材等である。踏板基材９の下面の前端部には、蹴込板１３の上端部を嵌合するための嵌合溝９ａが形成されている。
【００２９】
表面材１０は、所定厚さ（例えば７．５ｍｍ）の薄板状のもので、例えば化粧材とその裏面に貼着された制振材及び／又はクッション材とからなる。化粧材としては、ＭＤＦやハードボード等の木質基材、これらに樹脂を含浸させたもの等が用いられる。制振材としては、ＰＶＣマット、ゴムマット、アスファルトマット、インシュレーションボード等が用いられる。クッション材としては、不織布、ウレタン等の樹脂発泡体等が用いられる。
【００３０】
表面材１０はこれらに限らず、単体材料でも複合材料でもよく、樹脂化粧シートや樹脂基材、木質基材等を使用できる。
【００３１】
表面材１０を踏板基材９に貼着するための手段は限定されないが、特に踏板８の更新性
を求める場合には、リフォームする際に踏板基材９から表面材１０がきれいに剥がれるような接着剤やテープを用いるのが望ましい。接着剤としては、低粘着性接着剤や弾性接着剤が好ましく、例えばシリル化ウレタン接着剤、特殊シリコン樹脂接着剤、変性シリコン樹脂接着剤が用いられ、適宜接着剥離強度を調整したものを用いてもよい。テープとしては、片面が低粘着性とされた両面テープ等が用いられる。
【００３２】
また、図６に示すように、踏板基材９と表面材１０とは階段奥行方向（前後方向）の幅も互いに異なり、表面材１０の幅が踏板基材９の幅よりも後述する段鼻部材１６におけるベース部１９の幅寸法（例えば２６ｍｍ）だけ短くなっている。
【００３３】
図５に示すように、左右の側桁１，１の対向面には、各踏板８の左右端部（長さ方向の端部）を嵌合する水平前後方向に延びる踏板嵌合溝２，２，…と、各蹴込板１３の左右端部（長さ方向の端部）を嵌合する上下方向に延びる蹴込板嵌合溝５，５，…とが交互に連続するように形成されている。
【００３４】
上記各踏板嵌合溝２には、踏板８の左右端部が嵌め込まれ、各踏板嵌合溝２は、その下側の溝側面が後下がりに傾斜していて、溝幅が後側に向かって大きくなっており、踏板嵌合溝２に踏板８を嵌め込んだときに、その踏板８の下面後端部と踏板嵌合溝部２の下側溝側面との間に隙間を生じさせて、その隙間にクサビ（図示せず）を打ち込むことで踏板８を固定するようにしている。
【００３５】
そして、下側及び上側直階段部Ｓ１，Ｓ３の階段構造では、側桁１，１の各踏板嵌合溝２，２に対し各踏板８の左右端部が嵌め込まれ、クサビにより固定されている。また、側桁１，１の各蹴込板嵌合溝５，５に蹴込板１３の左右端部が嵌合され、その蹴込板１３の上端部は、上側の踏板基材９下面の嵌合溝９ａに嵌合され、下端部は下側の踏板８の後端部に固定されている。
【００３６】
図６に示すように、上記各踏板８の前端部（段鼻部）には、階段Ｓを昇降する人が踏板８上で滑らないようにするための段鼻部材１６が固定されており、この段鼻部材１６よりも後側（奥側）の範囲の踏板基材９上面、すなわち踏板基材９上面の前端部を除く領域に上記表面材１０が貼着されている。段鼻部材１６は、例えばＰＶＣ樹脂の成形体、ＡＢＳ樹脂基材に化粧樹脂シートが貼着された成形体等が用いられる。
【００３７】
段鼻部材１６は、上記踏板８の上面前端部を被覆する略板状の上面部１７と、この上面部１７に取り外し可能に組み付けられ、上記踏板８の前端面を被覆する略板状の前面部１８とを備えている。上記上面部１７は、上記踏板基材９上面の前端部に直接固定されるベース部１９と、該ベース部１９に取り外し可能に組み付けられるカバー部２０とを有する。
【００３８】
上記ベース部１９は、左右方向に延びる板状のベース部本体１９ａを備え、このベース部本体１９ａ上面の後端部、及び前端部よりも若干後側の部分には、リブ板状の後側及び前側の突起部１９ｂ，１９ｃが階段幅方向全体に亘って一体に突設され、これらの突起部１９ｂ，１９ｃの先端部には、板状の係合片部１９ｄ，１９ｄが内向き（互いに接近する方向）に階段幅方向全体に亘って一体に突設されている。また、前側の突起部１９ｃの先端部には、板状の対向壁部（対向部）１９ｅが階段幅方向全体に亘って前側に一体に突設され、当該対向壁部１９ｅは、上記突起部１９ｃよりも前側のベース部本体１９ａ（対向部）に対向している。上記対向壁部１９ｅの先端部及び上記ベース部本体１９ａの前端部には、対向片部（上面部側係合部）１９ｆ，１９ｆが内向き（互いに接近する方向）に階段幅方向全体に亘って一体に突設されている。ベース部本体１９ａの左右長さは、現場での切断を不要にするため、左右の側桁１，１の対向面間の距離（側桁１の踏板嵌合溝２に嵌合される端部を除いた踏板基材９の長さ）よりも若干短く設定され、ベース部本体１９ａの前後方向の幅は、上記踏板基材９と表面材１０との階段奥行方向（前後方向）の幅の差と同じ（例えば２６ｍｍ）になっており、ベース部本体１９ａを踏板基材９上面の前端部に対し、両面テープとステープルやビス等とによって直接固定するようにしている。
【００３９】
一方、上記カバー部２０は、左右方向に延びる板状のカバー部本体２０ａを備え、このカバー部本体２０ａの左右長さは、左右の側桁１，１の対向面間の距離（側桁１の踏板嵌合溝２に嵌合される端部を除いた踏板基材９の長さ）と同じであり、上記ベース部１９の左右長さよりも若干長くなっている。カバー部２０の左右長さがベース部１９よりも長いので、カバー部２０の左右からのベース部１９のはみ出しによる見栄えの悪化が防止される。カバー部本体２０ａの上面（外面）には、左右方向に延びる軟質ＰＶＣ樹脂等からなる複数の滑り止め用突条２０ｂ，２０ｂ，…が前後方向に並んで突設されている。カバー部本体２０ａの下面（内面）の前端部近傍及び後端部近傍には、リブ板状の前側及び後側の突起部（突板部）２０ｃ，２０ｃが階段幅方向全体に亘って一体に形成されている。これら突起部２０ｃ，２０ｃの下端部には、係合爪２０ｄ，２０ｄが、階段幅方向全体に亘って外向き（互いに離間する方向）に一体に張出形成されている。
【００４０】
上記カバー部２０の突起部２０ｃ，２０ｃをベース部１９の突起部１９ｂ，１９ｃ間に嵌め込んで係合爪２０ｄ，２０ｄを係合片部１９ｄ，１９ｄに係合させることで、カバー部２０をベース部１９に取り外し可能に組み付け、カバー部２０でベース部１９の前端部を除く領域を覆い、かつカバー部２０の後端部で踏板８の表面材１０の前端部を覆うようになっている。表面材１０の前端部がカバー部２０により覆われるので、この表面材１０の前端部についてもラフカットで済み、施工が容易になる。
【００４１】
上記前面部１８は、左右方向に延びる板状の前面部本体１８ａを備え、該前面部本体１８ａの上端部には、板状の上側係止部１８ｂが階段幅方向全体に亘って後側に一体に突設されているとともに、該前面部本体１８ａの上端部より若干下側には、突条部（突部）１８ｃが階段幅方向全体に亘って後側に一体に突設され、該突条部１８ｃの先端部には、上下方向に張り出す爪部（前面部側係合部）１８ｄ，１８ｄが階段幅方向全体に亘って形成されている。また、前面部本体１８ａの下端部には、板状の下側係止部１８ｅが階段幅方向全体に亘って後側に一体に突設されている。上記前面部本体１８ａの左右長さはカバー部２０本体と同じに設定されている。また、上記前面部本体１８ａの前側の面（表面）と上下端面、上側係止部１８ｂの上面、及び下側係止部１８ｅの下面には、軟質ＰＶＣ樹脂等、前面部１８の他の部分よりも軟質な樹脂からなる表面層１８ｆが形成されている。
【００４２】
前面部１８を踏板基材９の前端面に当接させた状態で、その上側係止部１８ｂを上面部１７のベース部１９の前端部（対向壁部１９ｅの上面）に係止させ、下側係止部１８ｅを踏板基材９の下面前端部に係止させ、かつ突条部１８ｃを上記ベース部１９の対向片部１９ｆ，１９ｆ間に嵌め込んで爪部１８ｄ，１８ｄを対向片部１９ｆ，１９ｆに係合させることで、前面部１８を上面部１７のベース部１９に取り外し可能に組み付け、前面部１８が踏板基材９を上下方向全体に亘って被覆するとともに、上側係止部１８ｂがベース部１９の前端部を覆うようになっている。
【００４３】
上記廻り階段部Ｓ２は、上下の直階段部Ｓ１，Ｓ３を接続するように設けられている。この廻り階段部Ｓ２は、直階段部Ｓ１，Ｓ３と同様の構造であり、図７にも示すように、廻り階段部Ｓ２の廻り方向外側には、互いに直角に接続された上側及び下側の２枚の板状の側桁１が配置され、これらの側桁１は下地壁面Ｗに固定されている。これら側桁１に設けられた踏板嵌合溝２には、下段、中段、及び上段の踏板２４〜２６の外側端部が嵌め込まれる。
【００４４】
尚、廻り階段部Ｓ２の廻り方向内側には側桁がなく、各踏板２４〜２６の内側端部は、下地壁面Ｗに固定した複数の受材（図示せず）、又は柱に設けた切り欠きに固定されている。また、この廻り階段部Ｓ２における各踏板２４〜２６も、直階段部Ｓ１，Ｓ３の各踏板８と同様に、踏板基材９と、その上面に貼着された表面材１０とからなっており、詳しい説明は省略する。
【００４５】
次に、上記階段Ｓの施工方法について説明する。各直階段部Ｓ１，Ｓ３においては、左右の側桁１，１の対向面に、踏板８が嵌め込まれる複数の踏板嵌合溝２，２，…を形成するとともに、複数の蹴込板嵌合溝５，５，…を形成しておき、それらの側桁１，１を互いに高さを合わせて下地壁面Ｗに固定する。
【００４６】
次に、その左右の側桁１，１の各踏板嵌合溝２に各踏板８の踏板基材９の左右端部を嵌め込み、その踏板基材９と踏板嵌合溝２の下側溝側面との間の隙間にクサビを打ち込んで踏板基材９を固定する。また、この踏板基材９の側桁１への固定と並行して、上下の踏板基材９，９間に蹴込板１３を固定し、その蹴込板１３の左右端部を側桁１の蹴込板嵌合溝５に、また上端部を上側の踏板基材９の嵌合溝９ａにそれぞれ嵌め込み、蹴込板１３の下端部は下側の踏板基材９の後端部に固定する。
【００４７】
このようにして複数の踏板基材９，９，…及び蹴込板１３，１３，…を固定した後、各踏板基材９の上面に接着剤を塗布し、その表面材１０を踏板基材９の上面に前端部を空けて貼り付ける。
【００４８】
その後、踏板基材９上面の前端部に段鼻部材１６の上面部１７のベース部１９を固定し、そのベース部１９にカバー部２０及び前面部１８を組み付ける。
【００４９】
一方、廻り階段部Ｓ２においても直階段部Ｓ１，Ｓ３の各踏板８と同様に、２枚の側桁１，１を下地壁面Ｗに固定した後、３枚の踏板２４〜２６の外側端部を側桁１に設けられた踏板嵌合溝２に嵌め込み、踏板基材９と踏板嵌合溝２の下側溝側面との間の隙間にクサビを打ち込んで踏板基材９を固定する。また、各踏板２４〜２６の内側端部は下地壁面Ｗ上の受材、又は柱に設けた切り欠きに固定する。また、上記直階段部Ｓ１，Ｓ３と同様にして踏板８の前端部に段鼻部材１６を取付固定する。廻り階段部Ｓ２の踏板８の前端部に取り付けられる段鼻部材１６の上面部１７の階段幅方向両側には、側桁１及び下地壁面Ｗに沿うように傾斜端縁１７ａが形成されている。
【００５０】
また、このようにして施工された階段Ｓのリフォームのために表面材１０の交換が必要となった場合には、踏板基材９は側桁１の踏板嵌合溝２に嵌合したままで、その踏板基材９から古い表面材１０を剥がし、その後、新しい表面材１０を元の踏板基材９の上面に貼着すればよい。
【００５１】
したがって、本実施形態においては、踏板８の形状に合わせて略板状の上面部１７及び前面部１８を別々に切断できるので、特許文献１の如く断面Ｌ字状のカバー部材を切断する場合に比べて当て木の使用が不要となる分切断作業が容易になる。また、切断する上面部１７及び前面部１８は平面的であるため、所望の寸法に切断しやすい。したがって、段鼻部材１６と側桁１及び下地壁面Ｗや柱との間に段鼻部材１６の寸法誤差による隙間が生じにくく、段鼻部材１６周りの階段の見栄えを改善できる。
【００５２】
特に、廻り階段部Ｓ２に使用される段鼻部材１６には、踏板基材９の上面前端部を覆う箇所に傾斜端縁が形成されるが、略板状に形成された上面部１７を斜めに切断することで傾斜端縁１７ａを形成できるので、特許文献１の如く断面Ｌ字状のカバー部材を切断する場合に比べ、切断作業（施工）の容易化、及び見栄えの改善という上述の効果を顕著に得
ることができる。
【００５３】
また、段鼻部材１６が上面部１７と前面部１８との２つの部材を備え、前面部１８が上面部１７に対して取り外し可能であるので、表面材１０の厚さを変更するリフォームを行う場合でも、段鼻部材１６の前面部１８は交換せず、上面部１７だけを新たな表面材１０の厚さに応じた厚さのものに交換することができる。すなわち、踏板基材９から表面材１０を剥がし、段鼻部材１６の上面部１７を踏板基材９から取り外し、かつ段鼻部材１６の前面部１８を上面部１７から取り外し、その後、新たな表面材１０を古い踏板基材９上面の前端部を除く領域に貼着し、新たな上面部１７を古い踏板基材９上面の前端部に固定し、かつ新たな上面部１７に古い前面部１８を取り付けることができる。したがって、段鼻部材１６全体を交換する場合に比べ、リフォームに必要となるコストを削減できる。
【００５４】
また、段鼻部材１６が上面部１７と前面部１８との２つの部材を備え、前面部１８が上面部１７に対して取り外し可能であるので、踏板基材９の厚さを変更するリフォームを行う場合でも、上面部１７は交換せず、前面部１８だけを新たな踏板基材９の厚さに応じた上下幅のものに交換することができる。すなわち、踏板基材９から表面材１０を剥がし、段鼻部材１６の上面部１７を踏板基材９から取り外し、かつ段鼻部材１６の前面部１８を上面部１７から取り外し、その後、古い表面材１０を新たな踏板基材９上面の前端部を除く領域に貼着し、古い上面部１７を新たな踏板基材９上面の前端部に固定し、かつ古い上面部１７に新たな前面部１８を取り付けることができる。したがって、段鼻部材１６全体を交換する場合に比べ、リフォームに必要となるコストを削減できる。
【００５５】
また、段鼻部材１６の上面部１７はベース部１９とカバー部２０との２つの部材を有し、そのカバー部２０がベース部１９に対して取り外し可能であるので、ベース部１９は踏板基材９に固定したままで、そのベース部１９から古いカバー部２０を外して新たなカバー部２０をベース部１９に取り付けるだけで、上面部１７の外観を美麗に仕上げることができる。表面材１０を交換するときでも、ベース部１９は踏板基材９に固定したままで、古いカバー部２０を外して新たな表面材１０の色や柄に応じた新たなカバー部２０をベース部１９に取り付けることができる。したがって、上面部１７全体を交換する場合に比べ、リフォームに必要となる手間及びコストを削減できる。
【００５６】
なお、段鼻部材１６を組み付ける際には、ベース部１９に前面部１８を取り付けた後、上からカバー部２０を嵌め込むことで、対向片部１９ｆを圧縮して前面部１８を離れ難くするという効果を得ることができる。
【００５７】
（その他の実施形態）
尚、上記実施形態では、直階段部Ｓ１，Ｓ３と廻り階段部Ｓ２とを組み合わせた階段Ｓに適用しているが、本発明は、直階段部のみを有する階段の階段構造にも適用することができる。
【産業上の利用可能性】
【００５８】
本発明は、切断作業を容易にするとともに階段の見栄えを改善できるので、極めて有用で産業上の利用性が高い。
【符号の説明】
【００５９】
Ｓ  階段
Ｓ２  廻り階段部
８  踏板
９  踏板基材
１０  表面材
１６  段鼻部材
１７  上面部
１７ａ  傾斜端縁
１８  前面部
１８ｃ  突条部（突部）
１８ｄ  爪部（前面部側係合部）
１９  ベース部
１９ａ  ベース部本体
１９ｂ，１９ｃ  突起部
１９ｄ  係合片部
１９ｅ  対向壁部（対向部）
１９ｆ  対向片部（上面部側係合部）
２０  カバー部
２０ａ  カバー部本体
２０ｃ  突起部（突板部）
２０ｄ  係合爪
【図１】
0006559409.tif 000002
【図２】
0006559409.tif 000003
【図３】
0006559409.tif 000004
【図４】
0006559409.tif 000005
【図５】
0006559409.tif 000006
【図６】
0006559409.tif 000007
【図７】
0006559409.tif 000008